(57)【要約】【課題】災害時における国民の安全保護を実行あらしめるシステムを提供すること。【解決手段】所定の域内に災害時の給水基地局として複数設置され、それぞれがコンピューターを搭載して通信手段で結ばれている浄水自動給水機１００のネットワークシステムであって、上記浄水自動給水機１００には、雨水、河川水、池の水、海水等の原水の貯水槽５００を受け入れる災害時の導水ライン１６０と、水道局から供給される上水道６００を受け入れる水道ライン１７０を備え、かつこの災害時の前記導水ラインと平常時の水道ラインとの切り替え手段１８０を備えており、前記浄水自動給水機１００が、浄水フィルタを少なくとも有する浄水装置１１０と、殺菌装置１２０を有するとともに、浄水装置によって製造された浄水を自動計量する給水装置１３０と、バッテリー装置１４０を備えている。【選択図】図２
2006307635.tif 000002
【特許請求の範囲】
【請求項１】
所定の域内に災害時の給水基地局として複数設置され、それぞれがコンピューターを搭載して通信手段で結ばれている浄水自動給水機のネットワークシステム。
【請求項２】
上記浄水自動給水機には、雨水、河川水、池の水、海水等の原水を受け入れる災害時の導水ラインを備えた請求項１記載の浄水自動給水機のネットワークシステム。
【請求項３】
前記災害時の導水ラインが、原水の貯水槽に連結されている請求項２記載の浄水自動給水機のネットワークシステム。
【請求項４】
前記浄水自動給水機が、水道局から供給される水道を受け入れる水道ラインを備えている請求項１〜３のいずれかの項に記載の浄水自動給水機のネットワークシステム。
【請求項５】
前記浄水自動給水機が、災害時の前記導水ラインと、平常時の水道ラインとの切り替え手段を備えている請求項４記載の浄水自動給水機のネットワークシステム。
【請求項６】
前記浄水自動給水機が、浄水フィルタを少なくとも有する浄水装置と、殺菌装置を有するとともに、浄水装置によって製造された浄水を自動計量する給水装置と、バッテリー装置を備えていることを特徴とする請求項１〜５のいずれかの項に記載の浄水自動給水機のネットワークシステム。
【請求項７】
各給水基地局の浄水自動給水機が、本局との間で双方向の通信手段によって結ばれている請求項１〜６のいずれかの項に記載の浄水自動給水機のネットワークシステム。
【請求項８】
前記浄水自動給水機内のコンピューターは、メモリーに格納された所定の域内に居住する個人の特定情報と、入力される給水取得の個人の特定情報との一致を認識処理し、特定個人の給水取得情報を蓄積している請求項７記載の浄水自動給水機のネットワークシステム。
【請求項９】
前記特定個人の給水取得情報が通信手段により本局のコンピューターに送信する請求項８に記載の浄水自動給水機のネットワークシステム。
【請求項１０】
前記通信手段が、専用回線、衛星通信網、携帯電話網及びＰＨＳ網の群のうち、少なくともいずれかを用いる請求項８又は９記載の浄水自動給水機のネットワークシステム。
【請求項１１】
前記給水取得の個人の特定情報が、個人認証カード内のメモリーに格納されている請求項８〜１０のいずれかの項に記載の浄水自動給水機のネットワークシステム。
【請求項１２】
前記個人認証カードのメモリーには、特定個人の給水取得情報が蓄積されている請求項１１記載の浄水自動給水機のネットワークシステム。
【請求項１３】
前記個人認証カードのメモリーには、給水取得に関するポイント情報又はエコマネー情報が蓄積されている請求項１２記載の浄水自動給水機のネットワークシステム。
【請求項１４】
前記浄水自動給水機に特定情報表示手段が備えられている、請求項１〜１３のいずれかの項に記載の浄水自動給水機のネットワークシステム。
【請求項１５】
特定情報が、災害情報、保安情報、捜索人情報、安否情報、広告情報、企業・商店情報、地域情報が含まれる請求項１４記載の浄水自動給水機のネットワークシステム。
【請求項１６】
前記各浄水自動給水機に監視カメラが備えられている、請求項１〜１５のいずれかの項に記載の浄水自動給水機のネットワークシステム。
【請求項１７】
前記監視カメラの映像が通信手段によって本局に送信される請求項１６記載の浄水自動給水機のネットワークシステム。
【請求項１８】
前記浄水自動給水機が、平常時に水道局から供給される水道を受け入れる水道ラインを備え、かつポイント情報又はマネー情報が蓄積された個人の特定カードを読み取り、前記浄水自動給水機内のコンピューターにその情報を送信するカードリーダー及び又はポイント情報又はマネー情報が蓄積された外部のコンピューターとの間の通信手段を利用した支払装置を備えており、前記水道ラインから供給され、浄水装置で浄水された水を、この支払装置によって読み取られた給水量にて給水装置で自動計量して浄水を給水する請求項６〜１７のいずれかの項に記載の浄水自動給水機のネットワークシステム。
【請求項１９】
前記浄水自動給水機には、前記ポイント情報又はマネー情報が蓄積された個人の特定カードを読み取り、前記浄水の給水に代え又は浄水の給水と共に、コンピューターに蓄積されたゲームプログラムを含むソフトウェアを作動させて特定情報表示手段に表示する請求項１８記載の浄水自動給水機のネットワークシステム。
【請求項２０】
前記コンピューターが、当たりとハズレの選択的構成要素を統計的処理によって確定する前記ゲームプログラムを含み、
当たりの要素をカウントしたときに、個人の特定カードに前記ポイント情報又はマネー情報が加算して蓄積され、又は、前記浄水自動給水機に搭載された商品券、コイン、プリントシート、スタンプ等の換価媒体出力装置に動作信号を出力して、当該装置から前記商品券、コイン、プリントシート、スタンプ等の換価媒体を出力する請求項１８記載の浄水自動給水機のネットワークシステム。
【請求項２１】
前記浄水装置の浄水フィルタが、第１の重合不織布フィルタと、
前記第１の重合不織布フィルタの下流に配置された第１の活性炭フィルタと、
前記第１の活性炭フィルタの下流に配置された膜フィルタと、
前記膜フィルタの下流に配置された第２の活性炭フィルタと、
を備えている、請求項１〜２０のいずれかの項に記載の浄水自動給水機のネットワークシステム。
【請求項２２】
前記膜フィルタが、中空紙膜、スパイラル膜及び平板膜の群から選ばれる膜である請求項２１記載のネットワークシステム。
【請求項２３】
第１の活性炭フィルタと膜フィルタの間に第２の重合不織布フィルタが設けられている請求項２１又は２２記載の浄水自動給水機のネットワークシステム。
【請求項２４】
第２の活性炭フィルタの下流に陰イオン交換フィルタまたは陽イオン交換フィルタの少なくともいずれかが設けられている請求項２１〜２３のいずれかの項に記載の浄水自動給水機のネットワークシステム。
【請求項２５】
第２の活性炭フィルタに、化石サンゴ、造礁サンゴ、帆立等の貝類、セラミック、天然石及び人工石の群から選ばれる濾過材のうち、少なくとも一種類の濾過材が含まれている請求項２１〜２４のいずれかの項に記載の浄水自動給水機のネットワークシステム。
【請求項２６】
前記浄水自動給水機が、自動発電装置及び無停電装置を備える請求項１〜２５のいずれかの項に記載の浄水自動給水機のネットワークシステム。
【請求項２７】
前記浄水自動給水機が、自動発電装置及び無停電装置を備える請求項１〜２５のいずれかの項に記載の浄水自動給水機のネットワークシステム。
【請求項２８】
前記個人の特定情報に個人の指紋が含まれており、前記浄水自動給水機には、指紋照合機構が設けられ、前記本局に蓄えられた指紋情報と前記指紋照合機構により採取された指紋との一致または不一致によって個人を特定する手段を有する請求項７記載の浄水自動給水機のネットワークシステム。
【請求項２９】
前記本局の指令により、無料で水を配給させるようにすることができる浄水自動給水機水を備える請求項９または１０記載の浄水自動給水機のネットワークシステム。
【請求項３０】
前記自動発電装置または前記無停電装置の作動開始により、無料で水を配給させるようにすることができる浄水自動給水機水を備える請求項２７記載の浄水自動給水機のネットワークシステム。
【請求項３１】
前記給水取得の個人の特定情報が、個人所有の携帯電話のメモリーに格納されている請求項８〜１０のいずれかの項に記載の浄水自動給水機のネットワークシステム。
【請求項３２】
前記浄水自動給水機の前記バッテリー装置に電力源となる発電モータを備えた請求項６記載の浄水自動給水機のネットワークシステム。
【発明の詳細な説明】
【技術分野】
【０００１】
本発明は、災害時における国民の安全保護を実行あらしめる浄水自動給水機のネットワークシステムに関する。
【背景技術】
【０００２】
従来、平常時は、水道局から供給される上水道や、ミネラルウォーターボトルの自動販売機から、自由に水を入手することができる。また近時では飲料水ディスペンサも提供されている（例えば特許文献１）。
【０００３】
【特許文献１】特開平１１−３１４６９９
【０００４】
しかし、地震など災害時においては、水道局から供給される上水道が破壊或いは汚染されたり、送電が停電される場合が多い。一方、水は人の生命及び安全においてライフラインとして必要不可欠であることはいうまでもない。
また、災害時は、災害の域内において居住する老人、子供を含む地域住民の安全を確保するだけでなく、同地域に居住する地域住民の安否情報などの情報を的確に把握し提供することは災害時における国民の安全保護の見地から重要であることはいうまでもない。
【発明の開示】
【発明が解決しようとする課題】
【０００５】
本発明の課題は、災害時における国民の安全保護を実行あらしめるシステムを提供するところにある。
【課題を解決するための手段】
【０００６】
上記課題を鋭意検討した結果、本発明は、所定の域内に災害時の給水基地局として複数設置され、それぞれがコンピューターを搭載して通信手段で結ばれている浄水自動給水機のネットワークシステムを採用した。
【発明の効果】
【０００７】
本発明は、上記のとおりであるので、給水基地局を軸にして給水のネットワークをコンピューターによるネットワークとともに確保し、これにより、給水基地局において人の生命及び安全において必要不可欠な水を災害時においても常時確保でき、あわせて、水の取得情報を軸にして災害時における地域住民に関する安否を含む情報を収集確保可能にするようにした。
【発明を実施するための最良の形態】
【０００８】
本発明の実施形態としては、上記浄水自動給水機には、雨水、河川水、池の水、海水等の原水を受け入れる災害時の導水ラインを備えている。そして前記災害時の導水ラインが、原水の貯水槽に連結されていることが好ましい。
【０００９】
前記浄水自動給水機は、災害時専用の浄水自動給水機とすることもできるが、平常時においても使用可能な給水機とすることが好ましい。例えば、水道局から供給される水道を受け入れる水道ラインを備えている浄水自動給水機である。
【００１０】
この場合は、災害時の前記導水ラインと、平常時の水道ラインとの切り替え手段を備えていることが望ましい。
【００１１】
前記浄水自動給水機として、災害時において適用できる装置でなければならない。かかる見地から、浄水フィルタを少なくとも有する浄水装置と、殺菌装置を有するとともに、浄水装置によって製造された浄水を自動計量する給水装置と、を備えている浄水自動給水機を提供することができる。特に、停電の状態も想定して、バッテリー装置、無停電装置を備えることが好ましく、更に前記バッテリー装置の電力源になることのできる発電モータを備えていることがより好ましい。
【００１２】
また、各給水基地局の浄水自動給水機が、本局との間で双方向の通信手段によって結ばれている浄水自動給水機のネットワークシステムとすることにより、本局において特定地域内の給水状況を掌握することが可能となる。また給水状況を分析し、水が足りないことが分かった地域に設置してある浄水自動給水機については、本局の指令により、個人認証カード等の提示がない場合でも無料で水を配給させるようにすることもできる。また、このような本局の指令が無いか、若しくは通信障害が発生した場合でも、自動発電装置または無停電装置が組み込まれた浄水自動給水機においては、前記装置の作動開始を災害発生とみなして、無料で水を配給させるようにすることもできる。
特に、前記浄水自動給水機内のコンピューターにおいて、メモリーに格納された所定の域内に居住する個人の特定情報と、入力される給水取得の個人の特定情報との一致を認識処理し、特定個人の給水取得情報を蓄積する。そして、前記特定個人の給水取得情報が通信手段により本局のコンピューターに送信することにより、老人、子供はもちろん、地域住民の安否情報を経時的ないし経日的に本局において把握できる。
【００１３】
本局のメモリーに格納された特定情報の本人が、前記浄水自動給水機において操作を行っているかどうかを確認する手段として、指紋照合システムを導入することもできる。すなわち、本局の個人の特定情報の一つに個人の指紋が含まれており、かつ前記浄水自動給水機には、指紋照合機構が設けられるものである。これによって、前記本局に蓄えられた指紋情報と前記指紋照合機構により採取された指紋との一致または不一致によって、前記浄水自動給水機で操作を行っているものが、確かに該個人本人かどうかを確認することができる。
【００１４】
前記通信手段は、災害等で破壊される場合も想定し、専用回線、衛星通信網、携帯電話網及びＰＨＳ網の群のうちいずれかの手段、または予備的手段を含めた複数の手段を用いることが好ましい。
【００１５】
前記給水取得の個人の特定情報を得るためには、個人認証カード内のメモリーに該情報が格納される。個人認証カードのメモリーには、特定個人の給水取得情報が蓄積される。
【００１６】
なお、このシステムを平常時においても用いる場合は、個人認証カードのメモリーには、給水取得に関するポイント情報又はエコマネー情報を蓄積することができる。このポイント情報又はエコマネー情報を給水取得のためのマネー情報としてもよい。
【００１７】
また前記給水取得の個人の特定情報を得る手段としては、前記個人認証カード以外に、各個人が所有する携帯電話のメモリーを利用することもできる。
【００１８】
また、前記浄水自動給水機にはディスプレーなどの特定情報表示手段が備えることができる。そして、特定情報として、災害情報、保安情報、捜索人情報、安否情報、広告情報、企業・商店情報、地域情報が含ませることにより、ライフラインの給水基地を中心に、災害時のみならず、平常時における各種の情報を提供することが可能となる。
【００１９】
前記各浄水自動給水機に監視カメラが備えることが可能である。これにより、監視カメラで撮影した情報が通信手段によって本局に送信することができる。
【００２０】
なお、前記浄水自動給水機としては、平常時に水道局から供給される水道を受け入れる水道ラインを備え、かつポイント情報又はマネー情報が蓄積された個人の特定カードを読み取り、前記浄水自動給水機内のコンピューターにその情報を送信するカードリーダー及び又はポイント情報又はマネー情報が蓄積された外部のコンピューターとの間の通信手段を利用した支払装置を備えており、前記水道ラインから供給され、浄水装置で浄水された水を、この支払装置によって読み取られた給水量にて給水装置で自動計量して浄水を給水する浄水自動給水機のネットワークシステムが好ましい。
【００２１】
そして前記浄水自動給水機には、前記ポイント情報又はマネー情報が蓄積された個人の特定カードを読み取り、前記浄水の給水に代え又は浄水の給水と共に、コンピューターに蓄積されたゲームプログラムを含むソフトウェアを作動させて特定情報表示手段に表示させることもできる。
また、前記コンピューターが、当たりとハズレの選択的構成要素を統計的処理によって確定する前記ゲームプログラムを含み、
当たりの要素をカウントしたときに、個人の特定カードに前記ポイント情報又はマネー情報が加算して蓄積され、又は、前記浄水自動給水機に搭載された商品券、コイン、プリントシート、スタンプ等の換価媒体出力装置に動作信号を出力して、当該装置から前記商品券、コイン、プリントシート、スタンプ等の換価媒体を出力する浄水自動給水機のネットワークシステムを採用することもできる。
【００２２】
このような災害時の浄水自動給水機の浄水フィルタは、雨水、河川水、池の水、海水等の原水を飲料水に簡単に変換できる必要がある。これに最も好ましい浄水フィルタとしては、前記浄水装置の浄水フィルタが、第１の重合不織布フィルタと、
前記第１の重合不織布フィルタの下流に配置された第１の活性炭フィルタと、
前記第１の活性炭フィルタの下流に配置された膜フィルタと、
前記膜フィルタの下流に配置された第２の活性炭フィルタと、
を備えている浄水自動給水機である。
【００２３】
また前記膜フィルタとしては、中空紙膜、スパイラル膜及び平板膜の群から選ばれる膜が災害時の原水を飲料水にするためには好ましい。特に、第１の活性炭フィルタと膜フィルタの間に第２の重合不織布フィルタが設けられていること、より好ましくは第２の活性炭フィルタの下流に陰イオン交換フィルタまたは陰イオン交換フィルタの少なくともいずれかが設けられている構成が好ましい。なお、第２の活性炭フィルタには、化石サンゴ、造礁サンゴ、帆立等の貝類、セラミック、天然石及び人工石の群から選ばれる濾過材のうち、少なくとも一種類の濾過材が含まれていることが好ましい。なお、本浄水自動給水機は、自動発電装置を備えていることが好ましい。
【００２４】
図１は本発明のネットワークシステムの一実施形態を示す概略全体図である。一方、図２は本発明のネットワークシステムの概念図である。
図において、１００は所定の域内２００の特定場所（例えば役所、学校）に設置された浄水自動給水機である。この浄水自動給水機１００は、所定の域内２００に災害時の給水基地局として複数設置され、それぞれがコンピューターを搭載して通信手段で結ばれている。また５００は貯水槽、６００は水道局の上水道、７００は原水の例として河川を示す。
【００２５】
この実施形態の浄水自動給水機１００は、雨水、河川水、池の水、海水等の原水を受け入れる災害時の導水ライン１６０を備え、この導水ラインが原水の貯水槽５００に連結されている。またこの浄水自動給水機１００は、水道局の上水道６００から供給される水道を受け入れる水道ライン１７０を備えており、前記浄水自動給水機１００が、災害時の前記導水ライン１６０と、平常時の水道ライン１７０との切り替え手段１８０を備えている。この浄水自動給水機１００は、浄水フィルタを少なくとも有する浄水装置１１０と、殺菌装置１２０を有するとともに、浄水装置によって製造された浄水を自動計量する給水装置１３０と、バッテリー装置１４０を備えている。
【００２６】
この浄水自動給水機１００は逆浸透膜を前記浄水フィルタとして用い、その浄水装置の浄水フィルタが、第１の重合不織布フィルタと、
前記第１の重合不織布フィルタの下流に配置された第１の活性炭フィルタと、
前記第１の活性炭フィルタの下流に配置された膜フィルタと、
前記膜フィルタの下流に配置された第２の活性炭フィルタと、
を備えている。
【００２７】
この各給水基地局の浄水自動給水機１００は、本局３００との間で双方向の通信手段によって結ばれており、前記浄水自動給水機内のコンピューターは、メモリーに格納された所定の域内に居住する個人の特定情報と、入力される給水取得の個人の特定情報との一致を認識処理し、特定個人の給水取得情報を蓄積している。従って、前記特定個人の給水取得情報が通信手段により本局のコンピューターに送信され、本局において給水取得情報を通じて安否情報が収集される。
【００２８】
なお、前記通信手段はこの実施形態では専用回線、衛星通信網、携帯電話網及びＰＨＳ網の群のうち、少なくともいずれかを用いる。なおまた、前記給水取得の個人の特定情報を個人認証カード内のメモリーに格納することにより、個人認証カード４００内において安否情報が蓄積されるものである。そして、前記個人認証カード４００のメモリーには、特定個人の給水取得情報が経時的又は経日的に蓄積される。
【００２９】
またこの浄水自動給水機は、平常時に水道局から供給される水道を受け入れる水道ライン１７０を備えているが、さらにポイント情報又はマネー情報が蓄積された個人の特定カード（個人認証カード４００）を読み取り、前記浄水自動給水機内のコンピューターにその情報を送信するカードリーダー及び又はポイント情報又はマネー情報が蓄積された外部のコンピューターとの間の通信手段を利用した支払装置を備えており、平常時には、前記水道ラインから供給され、浄水装置で浄水された水を、この支払装置によって読み取られた給水量にて給水装置で自動計量して浄水を給水する。なお個人認証カードは、非接触認証型のカードとすることもできる。
【００３０】
前記個人認証カードのメモリーには、給水取得に関するポイント情報又はエコマネー情報が蓄積されており、また前記浄水自動給水機には特定情報表示手段１０１が備えられており、インターネットを含む通信手段を通じて外部のコンピューターに接続されており、外部のコンピューターから広告などの情報が表示される。
【００３１】
なお、本実施形態の浄水自動給水機は、図１に示すように、浄水自動給水機に搭載したカードリーダーを用いてポイントカードを利用することができ、平常時においても有効活用されるシステムである。
【産業上の利用可能性】
【００３２】
本発明は、災害時における国民の安全保護を実行あらしめる浄水自動給水機として用いることができる。
【図面の簡単な説明】
【００３３】
【図１】本発明のネットワークシステムの一実施形態を示す概略全体図である。
【図２】本発明のネットワークシステムの概念図である。
【符号の説明】
【００３４】
１００    浄水自動給水機
１０１    特定情報表示手段
１１０    浄水装置
１２０    殺菌装置
１３０    給水装置
１４０    バッテリー装置
１５０    監視カメラ
１６０    導水ライン
１７０    水道ライン
１８０    切り替え手段
２００    域内
３００    本局
４００    個人認証カード
５００    貯水槽
６００    上水道
７００    河川
【図２】
2006307635.tif 000003
【図１】
2006307635.tif 000004